(57)【要約】      （修正有）【課題】硬貨返却口に蓋や開閉板を設けると、返却された硬貨が表に飛び出すことはないが、返却された硬貨が見えにくくなり、返却硬貨の取り忘れを招く恐れがある。【解決手段】筐体の扉の裏側に取り付けられた、不良コインを下に排出するリジェクト口を設けたコイン選別器と、前記コイン選別器の下方に開口する前記扉に設けたコイン返却口と、前記コイン選別器のリジェクト口と前記コイン返却口を連接するリジェクトカップ20であって、該リジェクトカップ20は前記扉に固定され、前記コイン返却口に合致する開口を有すると共に前記リジェクト口を包含する奥行き及び幅を有する略箱状体であり、前記リジェクトカップの上面は前記リジェクト口の下側にコイン落下穴29を有し、該コイン落下穴の下側内部には垂線が斜め上横後方に向く面を配した傾斜面24ｂを設け、コイン返却口の下縁より下側に位置する底面22bを設けたコイン動作式装置。【選択図】図５
2010176622.tif 000002
【特許請求の範囲】
【請求項１】
投入したコインを返却するコイン返却口を有するコイン動作式装置において、
筐体の扉の裏側に取り付けられた、投入したコインの真贋を判別し正規コインと不良コインとに選別し、不良コインを下に排出するリジェクト口を設けたコイン選別器と、
前記コイン選別器の下方に開口する前記扉に設けたコイン返却口と、
前記コイン選別器のリジェクト口と前記コイン返却口を連接するリジェクトカップであって、
該リジェクトカップは前記扉に固定され、前記コイン返却口に合致する開口を有すると共に前記リジェクト口を包含する奥行き及び幅を有する略箱状体であり、
前記リジェクトカップの上面は前記リジェクト口の下側にコイン落下穴を有し、該コイン落下穴の下側内部には垂線が斜め上横後方に向く面を配した傾斜面を設け、
コイン返却口の下縁より下側に位置する底面を設けたことを特徴とするコイン動作式装置。
【請求項２】
請求項１において、リジェクトカップは、奥側下方が手前に傾斜した傾斜面となり、コイン返却口の開口下縁に向けて底面が上り傾斜となっていることを特徴とするコイン動作式装置。
【請求項３】
請求項１において、コイン選別器のリジェクト口の下側に位置するリジェクトカップ内の傾斜面はコイン返却口の開口には至らない位置で垂直な壁面になることを特徴とするコイン動作式装置。
【発明の詳細な説明】
【技術分野】
【０００１】
本発明は、硬貨やメダル等を投入することで動作するコイン動作式装置の硬貨選別装置に設けるコイン返却口の改良に関する。
【背景技術】
【０００２】
従来、ゲーム機等に取り付けられるコインドアのサービス扉へのドロップタイプの硬貨選別装置としては、ほぼ直立するベースプレートの上部に縦長矩形の硬貨口が形成され、下部には硬貨の返却口が形成されている。返却口の後側には、保留箱が固定され、返却された硬貨がランダムに横たわることができる。返却口は、上部が保留箱内にビポット可能に指示された蓋によってカバーされ、蓋を押し込むことにより、返却硬貨を保留箱から取り出すことができる（例えば特許文献１参照）。
【０００３】
また硬貨返却口にスポンジ等の異物が挿入されるのを防止するため、硬貨返却口に回動自在に軸支された開閉板と前記硬貨返却口の前記開閉板と反対側の壁面から硬貨返却経路へ下り勾配に傾斜して突出した第１の突出片を備えて異物の進入を防止する硬貨返却口において、前記第１の突出片と対向する前記開閉板の面に、硬貨返却経路へ下り勾配に傾斜して突出した第２の突出片を備え、前記開閉板の回動位置において前記第１の突出片と前記第２の突出片が当接して前記硬貨返却経路を閉鎖するように構成した硬貨返却口の異物挿入防止構造がある（例えば特許文献２参照。）。
【先行技術文献】
【特許文献】
【０００４】
【特許文献１】特開２００５-２５４０４号公報（第４頁、図１）
【特許文献２】特許第３４７２６３４号公報（第２頁、図２）
【発明の概要】
【発明が解決しようとする課題】
【０００５】
上述した硬貨返却口の蓋や開閉板は金属板や硬質樹脂板で出来ており、いずれも上部が水平に軸支されており、手先を後方に押し込んで内部の硬貨を取り出す構造となっている。
硬貨返却口に蓋や開閉板を設けると、返却された硬貨が表に飛び出すことはないが、返却された硬貨が見えにくくなり、返却硬貨の取り忘れを招く恐れがある。
そこで本発明は、硬貨返却口に蓋や開閉板を設けずに、返却された硬貨が表に飛び出さない構造を有するコイン返却口を提供する。
【課題を解決するための手段】
【０００６】
本願発明では、上記課題を解決するために、投入したコインを返却するコイン返却口を有するコイン動作式装置において、筐体の扉の裏側に取り付けられた、投入したコインの真贋を判別し正規コインと不良コインとに選別し、不良コインを下に排出するリジェクト口を設けたコイン選別器と、前記コイン選別器の下方に開口する前記扉に設けたコイン返却口と、前記コイン選別器のリジェクト口と前記コイン返却口を連接するリジェクトカップであって、
該リジェクトカップは前記扉に固定され、前記コイン返却口に合致する開口を有すると共に前記リジェクト口を包含する奥行き及び幅を有する略箱状体であり、
前記リジェクトカップの上面は前記リジェクト口の下側にコイン落下穴を有し、該コイン落下穴の下側内部には垂線が斜め上後方に向く面を配した傾斜面を設け、
コイン返却口の下縁より下側に位置する底面を設けた、コイン動作式装置としてある。
【０００７】
上記発明により、投入したコインがコイン選別器で不良コインと判別された際に、コイン選別器のリジェクト口から、リジェクトカップに開口したコイン落下穴からリジェクトカップ内に落下してくる。この際に落下してきたコインは、垂線が上横後方に向いた面を有する傾斜面に衝突し、その跳ね返り方向は側面奥側方向になり、リジェクトカップの奥側に衝突しコイン返却口の下縁より低い底面のリジェクトカップ内に滞留する。
【０００８】
本願発明では、上記課題を解決するために、上記発明において、リジェクトカップは、奥側下方が手前に傾斜した傾斜面となり、コイン返却口の開口下縁に向けて底面が上り傾斜となっているコイン動作式装置としてある。
【０００９】
上記発明により、リジェクトカップの奥側下方が手前に傾斜した傾斜面となっていることで、滞留するコインの位置が傾斜面から滑り落ちているのでリジェクトカップの底面の中ほど寄りに位置しており、さらリジェクトカップの底面の手前側がコイン返却口の開口下縁に向けて上り傾斜となっているので、コインが落下の衝撃で飛び出すことがない。さらにコイン返却口から指先を入れてコインを取り出す際に奥まで指先を入れなくても滞留したコインは底面の中ほどに位置しているので触れ易く、コイン返却口に向けて底面が傾斜しているので、コインに指先を当てて傾斜面をなぞるようにして容易に取り出すことができる。
【００１０】
本願発明では、上記課題を解決するために、さらにコイン選別器のリジェクト口の下側に位置するリジェクトカップ内の傾斜面はコイン返却口の開口には至らない位置で垂直な壁面になるコイン動作式装置としてある。
【００１１】
上記発明により、コイン選別機のリジェクト口の下側に位置する傾斜面がコイン返却口の開口には至らない位置で垂直な壁面となっているので、開口の奥側は箱状の空間となっており、コイン返却口から指を挿入しても衝つかる障壁となるものはなく、突き指することなく安全にコインに指先を当てて回収することができる。
【発明の効果】
【００１２】
本願発明のコイン返却装置では、コイン返却口に蓋がないことから、コインが返却されたコインが見えずに取り忘れを招く恐れがなくなる。
さらに本発明の構造により、コイン返却口に扉が無くともコインが表に飛び出すことはないし、コイン回収時に指を蓋で挟むようなこともない。
しかも、蓋がないことで、コストアップを最小限とすることができ、利用価値が高く安全性に富むコイン返却口を提供することができる。
【図面の簡単な説明】
【００１３】
【図１】貨幣装置の一例としてのコイン装置の透過斜視図である。
【図２】図１の外観斜視図である。
【図３】コイン装置の左側面図である。
【図４】コイン装置の正面図である。
【図５】リジェクトカップの図面である。
【発明を実施するための形態】
【００１４】
本発明の実施例を図面に基づき詳細に説明する。以下、本願発明の実施例について述べる。
【実施例１】
【００１５】
以下、本発明の実施の形態を図面に基づいて説明する。図１は貨幣装置の一例としてコイン装置の透過斜視図を示し、扉２を透過して扉２の背面に取り付けた部材が示されている。
図２は図１の外観斜視図を示す。図３は同左側面図を示し、図４は、同正面図を示す。
【００１６】
コイン装置１は例えば自動販売機、業務用ゲーム機や駐車料金清算機等のコイン動作式機器、最近では磁気カードや電子マネーカード、あるいは携帯電話に決済機能を有して無線通信で動作する方式も併用されている機器等の前面の扉２の裏側にブラケット３を介して取り付けられている。
コイン装置１は、略直立した縦長の取付板である扉２の上方の筐体に設けた図示しないコイン投入口からコインＣが投入され、コイン受け部４に導かれ、コインセレクタ５にてコインの真贋が判別され、正規のコインＣｔはコインセレクタの後方にある正規ルート６（点線で示す）に流れ、不良コインＣｆはコインセレクタの手前にある返却ルート７(一点鎖線で示す)に流れる。
【００１７】
コインセレクタ５は、立設した基板と、該基板にコイン１枚の厚み分の間隔を有して対向配置されたフラッパと、基板あるいはフラッパのいずれか一方に取り付けられコインが転動するレールとでコインルートが形成され、このコインルートの終端下部にコインルートに近接してマグネットが配設され、擬似磁性コインがこのコインルートを転動すると、マグネットの磁力によって転動速度が減速され、コインルートの終端から下方のコイン返却ルート７に転動方向を変えられてコインリジェクト口に落下させて排出される構造である。
【００１８】
扉２はヒンジ機構２ａにより筐体に鍵８を用いて開閉自在に取り付けられ、コインＣがコイン装置内にて詰まった際に使用するリジェクトボタン９と、不良コインＣｆを返却するコイン返却口１０が設けてある。
【００１９】
正規ルート６に流れた正規コインはコインセレクタの下面の奥側中央の正規ルート６に連接したブラケット３に取り付けた正規コイン通過部１１を通過して図示しないキャッシュボックスに落下していく。
返却ルート７に流れた不良コインは、コインセレクタの下面の手前左側に位置するリジェクト口７ａから、コインセレクタの返却ルート７の下方に位置するリジェクトカップ２０に落下する。
リジェクトカップ２０は扉２のコイン返却口１０の裏側に取り付けられており、コイン返却口１０より右側に幅広で奥行きがブラケット３に取り付けられたコインセレクタの返却ルート７に至っている。
コイン返却口１０は指先が入るほどの縦３ｃｍ、幅4ｃｍほどの矩形状の開口であり、扉２に設けてある。
【００２０】
図５にはリジェクトカップを示し、図５（Ａ）にはリジェクトカップの斜視図、図５（Ｂ）には同正面図、図５（Ｃ）には図５（Ｂ）のＡ−Ａ線での縦断面図を示している。
リジェクトカップ２０は、縦４ｃｍ、幅６ｃｍ、奥行６ｃｍ程の大きさの箱状であり、それぞれ上面２１、底面２２、左壁面２３、右壁面２４、奥壁面２５をから構成され、手前側が開口した開口面２６となっている。
さらに該開口面２６の左右側には扉２への縦長矩形の取付面２７、２８が設けてあり、各取付面２７，ｓ２８には取付穴２７ａ、２８ａがそれぞれ設けてあり、扉２の内側に設けた図示しないスタッドに螺着される。リジェクトカップ２０は硬質樹脂製あるは金属板を加工して構成している。
【００２１】
リジェクトカップの上面２１の右奥側には縦長矩形に開口したコイン落下穴２９が開口している。該コイン落下穴２９には、コインセレクタの左側下面に連なる返却ルート７から落下してくるコインＣｆが通過可能で、落下したコインがリジェクトカップ２０内に収納される。
【００２２】
リジェクトカップ２０は、扉２のコイン返却口１０の裏側に取付面２７，２８に設けた取付穴２７ａ、２７ｂを扉２の内側に設けた図示しないスタッドに挿入し固定される。
この状態では、コイン返却口１０はリジェクトカップの開口面２６に合致する。ここでリジェクトカップの矩形状の開口面２６はコイン返却口１０より若干大きい。
コイン返却口１０の開口より若干大きいリジェクトカップ１０の右側の壁面２４の高さ方向の中ほどから上側が右斜め上に向けて斜面２４ａが形成されている。斜面２４ａの横幅はコイン返却口１０の開口幅の３割ほどであり、奥側の斜面２４ｂは、右奥に向けて傾斜している。つまり奥側の斜面に垂線Ｌを設けるとその垂線Ｌは斜め奥側に向く。
これにより、コイン落下穴２９から真下に縦方向に落下して来たコインが斜面２４ｂに衝突した際に、斜面が右奥側に傾斜しているので、コインは衝撃でリジェクトカップの対向する側面の奥側である左奥側方向に跳ね返るのである。
【００２３】
リジェクトカップの奥底面２２ａは、奥側の底の３分の１ほどが手前下方に向けて傾斜しており、コイン返却口１０の下縁10aより低い底面２２ｂが奥行きの２分の１ほどが平らになっており、手前はコイン返却口に向けて斜め上方に向けて前斜面２２ｃを形成している。
これにより、コイン落下穴２９から落下したコインが斜面２４ｂに衝突して跳ね返り、左奥側方向に向けて跳ね返る。斜面２４ｂで跳ね返ったコインは、左壁面２３、奥壁面２５、奥側底面２２ａの何れかに当り、その落下の勢いを失い、奥側底面２２ａあるいは、底面２２ｂに静止し保留される。
コイン返却口１０から指をリジェクトカップ２０に差し入れて、内部に保留されていくるコインに手の指を差し出してあてがい床面を滑らして前斜面２２ｃを上らせてコインを取り出し、コイン返却口１０から取り出すことができる。
【００２４】
コイン選別機のリジェクト口７ａの下側に位置する傾斜面がコイン返却口１０の開口には至らない位置で垂直な壁面となっているので、開口の奥側は箱状の空間となっており、コイン返却口１０から指を挿入しても衝つかる障壁となるものはなく、突き指することなく安全にリジェクトカップ内に貯留されたコインに指先を当てて回収することができる。
【００２５】
コインセレクタにて投入コインが正規コインと判定されずに、コインが曲っている等の何等かの原因で詰まった場合は、リジェクトボタン９を押すことで、コインセレクタのリジェクトレバー５ａが押し下げられ、不良硬貨が詰まっているコイン保持部５ｂを開放し、不良硬貨を返却ルート７へ流し、レジェクト口から取付板２に開口して設けたリジェクトカップ２０に落下する。
【００２６】
上述の通り本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００２７】
１  コイン装置
２  取付板
２ａ  ヒンジ機構
３  ブラケット
４  コイン受部
５  コインセレクタ
６  正規ルート
７  返却ルート
８ 鍵
９ リジェクトボタン
１０ コイン返却口
１１  正規コイン振分部
２０  リジェクトカップ
２１  上面
２２  底面
２３  左壁面
２４  右壁面
２５  奥壁面
２６  開口面
２７  取付面  
２７ａ  取付穴
２８  取付面
２８ａ  取付穴
２９  コイン落下穴
【図１】
2010176622.tif 000003
【図２】
2010176622.tif 000004
【図３】
2010176622.tif 000005
【図４】
2010176622.tif 000006
【図５】
2010176622.tif 000007